(57)【要約】【課題】エレベータの乗場開口部に作業員が出入りする上で作業性を良くする固定金具、および、養生シート開閉方法を提供することを課題とする。【解決手段】固定金具１０は、エレベータの乗場開口部Ｍの乗場側周縁部に配置され、乗場開口部用の養生シートＳに挿通されるバー１４ｂを保持して固定する。固定金具１０は、乗場開口部Ｍの両サイド側のレールＲに取付けられて固定される被取付部１２と、被取付部１２で支えられ、バー１４ｂが所定力以上で上昇するとバー１４ｂが取り外されるようにバー１４ｂを保持するバー保持部１６と、を備える。バー保持部１６は、板バネの機能を有するとともに、レールＲとの水平方向の間隔を上方にかけて徐々に狭くしているバー規制部２４を有する。バー規制部２４の上端におけるこの間隔ｄは、バー１４ｂの外径Ｄよりも小さい。【選択図】図５
2015227561.tif 000002
【特許請求の範囲】
【請求項１】
エレベータの乗場開口部の乗場側に配置され、前記乗場開口部用の養生シートに挿通されるバーを保持して固定する固定金具であって、
前記乗場開口部に設けられた固定金具保持部材に取付けられて固定される被取付部と、
前記被取付部で支えられ、保持した前記バーが所定力以上で上昇すると前記バーが取り外されるように前記バーを保持するバー保持部と、
を備え、
前記バー保持部は、板バネの機能を有して撓み変形可能であるとともに前記固定金具保持部材との水平方向の間隔を上方にかけて徐々に狭くしているバー規制部を有し、
前記バー規制部の上端における前記間隔は、前記バーの外径よりも小さいことを特徴とする固定金具。
【請求項２】
前記バー規制部の上端に連続し、前記固定金具保持部材との水平方向の間隔を上方にかけて徐々に広くしているバー収容用案内部を有することを特徴とする請求項１に記載の固定金具。
【請求項３】
エレベータの乗場開口部の乗場側に配置され、前記乗場開口部用の養生シートに挿通されるバーを保持して固定する固定金具であって、
前記乗場開口部に設けられた固定金具保持部材に取付けられて固定される被取付部と、
前記被取付部で支えられ、保持した前記バーが所定力以上で上昇すると前記バーが取り外されるように前記バーを保持するバー保持部と、
を備え、
前記バー保持部は、前記バーを保持しているときでは、前記バーの上方への移動を規制するとともに、前記バーから所定力以上の上昇力を受けると回動軸まわりに回転して前記バーを固定金具外方へ案内するバー規制部材を有することを特徴とする固定金具。
【請求項４】
固定金具保持部材に取付けられて固定される被取付部と、前記被取付部で支えられ、エレベータの乗場開口部用の養生シートに挿通されるバーが所定力以上で下降すると前記バーを保持し、保持した前記バーが所定力以上で上昇すると前記バーが取り外されるように前記バーを保持するバー保持部と、を備えた固定金具を、所定位置に配置された前記固定金具保持部材に取付けて固定する工程と、
前記バーを前記バー保持部に対して所定力以上で下降させて前記固定金具に保持させることで、前記乗場開口部に対して前記養生シートを閉にする工程と、
前記バーを前記バー保持部に対して所定力以上で上昇させて前記固定金具から取り外すことで、前記乗場開口部に対して前記養生シートを開にする工程と、
を備えることを特徴とする養生シート開閉方法。
【発明の詳細な説明】
【技術分野】
【０００１】
本発明の実施形態は、エレベータの乗場開口部用の養生シートに挿通されるバーを保持して固定する固定金具、および、養生シート開閉方法に関する。
【背景技術】
【０００２】
エレベータの設置工事では、乗場開口部から工具等が落下することを防止するために、開口部を養生する必要がある。
【０００３】
この養生としては、開口部を養生シートで覆うことが多い。このように養生シートで覆う場合、通常、水平方向にバーを通す筒状の挿通部を養生シートに設けておくとともに、開口部の両側壁部（乗場から見て左右両側の側壁部）にバーの端部を保持する固定金具を配置している。
【０００４】
この固定金具は、通常、バーを貫通させてバーの長手方向以外の移動を規制することで、バーが固定金具から不用意に外れることを防止している。また、バーの長さは開口部の幅よりも長くされており、バーの両端部が開口部の側壁部に当たって作業員等がバーの位置よりも開口部側に移動することが防止されている。
【先行技術文献】
【特許文献】
【０００５】
【特許文献１】特開2000-86134号公報
【発明の概要】
【発明が解決しようとする課題】
【０００６】
ところで、このような養生シートで乗場開口部を養生した場合、作業員が開口部内へ入って昇降路中の乗りかご上などで作業する際、開口部に入るとき、および、開口部から出るとき、の何れも、バーを長手方向に移動させてバーの片端部を固定金具から外し、作業員が養生シートを捩じるように力を加えることで、バーの片端部側の養生シート側部と開口部の側壁部との間に隙間を形成して作業員が出入りできるようにしている。そして、作業員が出た後、あるいは入った後、養生シートの捩じりを解消して養生シートを元の位置に戻し、バーを長手方向に移動させて元の位置に戻してバーの片端部を固定金具内に戻している。このため、作業員の出入り作業に時間がかかり、作業性が悪いという難点があった。
【０００７】
本発明は上記課題に鑑みてなされたものであり、エレベータの乗場開口部に作業員が出入りする上で作業性を良くする固定金具、および、養生シート開閉方法を提供することを課題とする。
【課題を解決するための手段】
【０００８】
実施形態に係る固定金具は、エレベータの乗場開口部の乗場側に配置され、乗場開口部用の養生シートに挿通されるバーを保持して固定する固定金具である。固定金具は、乗場開口部に設けられた固定金具保持部材に取付けられて固定される被取付部と、被取付部で支えられ、保持したバーが所定力以上で上昇するとバーが取り外されるようにバーを保持するバー保持部と、を備える。バー保持部は、板バネの機能を有して撓み変形可能であるとともに固定金具保持部材との水平方向の間隔を上方にかけて徐々に狭くしているバー規制部を有する。バー規制部の上端におけるこの間隔は、前記バーの外径よりも小さい。
【０００９】
また、実施形態に係る養生シート開閉方法は、固定金具保持部材に取付けられて固定される被取付部と、被取付部で支えられ、エレベータの乗場開口部用の養生シートに挿通されるバーが所定力以上で下降するとバーを保持し、保持したバーが所定力以上で上昇するとバーが取り外されるようにバーを保持するバー保持部と、を備えた固定金具を、所定位置に配置された固定金具保持部材に取付けて固定する工程と、バーをバー保持部に対して所定力以上で下降させて固定金具に保持させることで、乗場開口部に対して養生シートを閉にする工程と、バーをバー保持部に対して所定力以上で上昇させて固定金具から取り外すことで、乗場開口部に対して養生シートを開にする工程と、を備える。
【図面の簡単な説明】
【００１０】
【図１】第１実施形態で、エレベータの乗場開口部を養生シートで養生していることを示す乗場の正面図。
【図２】第１実施形態で、昇降路内の乗りかご上に作業員が乗場から移動することを説明する側面断面図。
【図３】第１実施形態で、養生シートに挿通されたバーの端部が、乗場開口部に固定された固定金具で保持されていることを示す斜視図。
【図４】第１実施形態の固定金具を、バーを保持していない状態で示す斜視図。
【図５】第１実施形態の固定金具の模式的な側面図。
【図６】第１実施形態の固定金具の変形例を示す側面図。
【図７】第２実施形態の固定金具を示す側面図。
【発明を実施するための形態】
【００１１】
以下、添付図面を参照して、実施形態について説明する。なお、第２実施形態では、第１実施形態で説明したものと同じものには同じ符号を付してその説明を省略する。
【００１２】
［第１実施形態］
まず、第１実施形態を説明する。図１は、本実施形態で、エレベータの乗場開口部を養生シートで養生していることを示す乗場の正面図である。図２は、本実施形態で、昇降路内の乗りかご上に作業員が乗場から移動することを説明する側面断面図である。図３は、本実施形態で、養生シートに挿通されたバーの端部が、乗場開口部に固定された固定金具で保持されていることを示す斜視図である。図４は、本実施形態の固定金具を、バーを保持していない状態で示す斜視図である。図５は、本実施形態の固定金具の模式的な側面図である。
【００１３】
本実施形態の固定金具１０は、エレベータの乗場開口部Ｍの乗場側の側縁部に配置され、乗場開口部用の養生シートＳに挿通されるバーを保持して固定する金具である。
【００１４】
乗場開口部Ｍの両サイド側には、固定金具１０を保持するためのレールＲが上下方向に沿って配置されている。本実施形態では、レールＲとしてＣ形レールを用いる。本実施形態では、レールＲは固定金具保持部材Ｐの一例として説明している。また、本実施形態では、固定金具１０は平板部材を板金加工してなるものである。
【００１５】
固定金具１０は、レールＲに固定される被取付部１２と、被取付部１２に連続することで被取付部１２に支えられ、バー１４ｂが所定力以上（後述）で上昇するとバー１４ｂが取り外されるようにバー１４ｂを保持するバー保持部１６と、を備える。
【００１６】
バー保持部１６は、被取付部１２から乗場側に折れ曲がって延びる延出し部２０と、延出し部２０の延出し先端から上方に折れ曲がって延びるバー収容空間主形成部２２と、バー収容空間主形成部２２の上端からレールＲ側に向けて斜め上方に延びるバー規制部２４と、バー規制部２４の上端から乗場側に向けて斜め上方に延びるバー収容用案内部２６と、を有している。
【００１７】
バー規制部２４とバー収容用案内部２６とが連続している部位には角部２５が形成され、角部２５とレールＲとの水平方向の間隔ｄは、バー収容時、バー非収容時の何れであっても、バー１４の外径Ｄよりも小さくされている。また、バー規制部２４では、レールＲとの水平方向の間隔が上方に行くほど徐々に狭くなっている。そして、角部２５（バー規制部２４の上端）から上方に行くほど、バー収容用案内部２６のレール側の壁面２６ｒとレールＲとの水平方向の間隔は徐々に広くなっている。
【００１８】
（作用、効果）
固定金具１０を用いて養生シートＳで乗場開口部Ｍを養生するには、まず、養生シートＳのバー挿通部Ｈａ、Ｈｂ、Ｈｃにそれぞれバー１４ａ、１４ｂ、１４ｃを挿通させる。
【００１９】
バー挿通部１４ａ、１４ｂ、１４ｃは、通常、養生シートＳの最上位置となる上段位置と、作業員Ｗの腰のあたりの高さ位置となる中段位置と、作業員Ｗの膝のあたりの高さ位置となる下段位置と、に設けられている。また、養生シートＳの最下位置には幅木挿通部Ｇが設けられており、ここに幅木１５を挿通させる。
【００２０】
また、レールＲの所定高さ位置に、固定金具１０を取付けて固定する。本実施形態では、中段位置のバー１４ｂを固定金具１０で保持し、他のバー１４ａ、１４ｃを従来から知られている固定金具１１で保持する例で説明する。ここで、従来から知られている固定金具１１は、上部が完全に開放された金具、すなわち、側面視コの字状またはＬ字状であって、乗場側、レール側、および、下側へのバーの移動を防止するが、バーの上方への移動を規制しない金具である。
【００２１】
作業員Ｗが乗場フロアＦから昇降路Ｖ内の乗りかご３０上に移動して作業をする場合などで、バー１４ｂを保持している固定金具１０からバー１４ｂを外すには、作業員がバー１４ｂを掴み、バー１４ｂを上方へ所定力以上（後述）の力で持ち上げる。
【００２２】
この結果、バー１４ｂの両端部は、レールＲの正面側（乗場側）の壁面Ｒｆとバー規制部２４のレール側の壁面２４ｒに当接しつつ上方に移動する。すなわち、バー保持部１６の主にバー規制部２４が撓み変形して上記の間隔ｄが広がりつつバー１４ｂが上方へ移動する。そして、バー１４ｂが角部２５を通過し、固定金具１０から外れ、バー保持部１６の撓み変形が解消される。
【００２３】
バー１４ｂを固定金具１０から外すとともに、バー１４ｃを固定金具１１から外すことで、養生シートＳは乗場開口部Ｍに対して開となり、作業員Ｗが乗場フロアＦから昇降路Ｖ内の乗りかご３０上に移動することができる。
【００２４】
なお、上記の所定力とは、このようにバー１４ｂがバー規制部２４に当接して持ち上げられることでバー保持部１６が撓み変形し、間隔ｄが広がってバー１４ｂが角部２５を通過して固定金具１０から上方へ外れるための最低力のことである。
【００２５】
作業員Ｗが乗場フロアＦから昇降路Ｖ内の乗りかご３０上に移動した後や、乗りかご３０上から乗場フロアＦに戻る場合などで、バーを保持していないを固定金具１０にバー１４ｂを保持させるには、作業員がバー１４ｂを固定金具１０の上方位置にまで手で運搬し、バー１４ｂを所定力以上（バー１４ｂに角部２５を通過させる最低力以上）で下方に移動させる。この結果、バー１４ｂの両端部は、バー収容用案内部２６のレール側の壁面２６ｒとレールＲの正面側の壁面Ｒｆとに当接しつつ下方に移動する。すなわち、バー保持部１６が撓み変形して上記の間隔ｄが広がりつつバー１４ｂが下方へ移動する。そして、バー１４ｂが角部２５を通過することで固定金具１０内側に入り、間隔ｄが狭まってバー保持部１６にバー１４ｂが保持される。
【００２６】
バー１４ｂを固定金具１０に保持させるとともに、バー１４ｃを固定金具１１に保持させることで、養生シートＳは乗場開口部Ｍに対して閉となる。
【００２７】
このように、本実施形態では、固定金具１０のバー保持部１６が板バネとしての機能を有する。従って、固定金具１０に保持されているバー１４ｂは固定金具１０から不用意に外れることが防止され、しかも、バー１４ｂを上方へ移動させることで、バー保持部１６が撓み変形して短時間で容易にバー１４ｂを固定金具１０から外すことができ、作業性が良い。
【００２８】
また、バー１４ｂを保持していない固定金具１０にバー１４ｂを保持させるには、バー１４ｂを固定金具１０ｂの上方位置にまで運搬し、所定力以上で下方に押し下げることで、バー保持部１６が撓み変形して短時間で容易にバー１４ｂを固定金具１０に固定させることができ、作業性が良い。
【００２９】
なお、図６に示すように、丸みを帯びた形状の角部３５を角部２５に代えて備えた固定金具４０としてもよい。これにより、バー１４ｂを着脱させる所定力を小さくすることが可能である。
【００３０】
また、バー１４ｂ以外の他のバー１４ａ、１４ｃは従来の固定金具１１で保持する例で説明したが、バー１４ａ、１４ｃも固定金具１０で保持してもよい。
【００３１】
［第２実施形態］
次に、第２実施形態を説明する。図７は、本実施形態の固定金具を示す側面図である。本実施形態の固定金具５０は、被取付部１２と同様の構造の被取付部５２と、被取付部５２に連続することで被取付部５２に支えられ、バー１４ｂが所定力以上（後述）で上昇するとバー１４ｂが取り外されるようにバー１４ｂを保持するバー保持部５６と、を備える。
【００３２】
バー保持部５６は、被取付部５２から乗場側に折れ曲がって延びる延出し部６０と、延出し部６０の延出し先端から上方に折れ曲がって延びるバー収容空間主形成部６２と、バー収容空間主形成部６２の上端部に回動可能に保持されたバー規制部材６４と、を有している。本実施形態では、バー規制部材６４がＬ字状部材で構成される。
【００３３】
バー規制部材６４は、平板部材を折り曲げ加工したものであり、第１板部６６と、第２板部６８と、第１板部６６と第２板部６８とに連続する折れ曲がり部７０とで構成されており、折れ曲がり部７０によって第１板部６６と第２板部６８とのなす角度が直角（９０°）になっている。また、折れ曲がり部７０が回動軸７２まわりに回動可能とされている。
【００３４】
バー保持部５６がバー１４ｂを保持しているときでは、バー規制部材６４の第１板部６６がバー収容空間主形成部６２に沿っていて第２板部６８がバー１４ｂの上方に位置している。また、第１板部６６とバー収容空間主形成部６２とには、互いに吸引し合う磁石７４、７６がそれぞれ配置されている。バー規制部材６４の第１板部６６がバー収容空間主形成部６２に沿っているときには磁石７４、７６によってバー規制部材６４の回転が規制されており、従って、第２板部６８によってバー１４ｂの上方への移動が規制されている。
【００３５】
固定金具５０に保持されたバー１４ｂを所定力以上で上方へ移動すると、バー１４ｂから受ける力によって第２板部６８が回動軸７２まわりに回転し（例えば１３５°回転し）、バー１４ｂを上方あるいは乗場側へ移動させることによって固定金具５０から取り出すことができる。ここで所定力とは、バー収容空間主形成部６２から第１板部６６を引き離す上で必要な最低力のことである。
【００３６】
なお、バー１４ｂを取り出したときには、バー規制部材６４は、バー１４ｂを解放した位置（第１板部６６と第２板部６８とによって形成される凹部が上向きの位置）に爪等で仮保持されており、バー１４ｂをバー規制部材６４に載せて固定金具５０内に容易に収容させる（保持させる）ことが可能になっている。
【００３７】
本実施形態では、バー１４ｂを固定金具５０が保持しているときでは、磁石７４、７６によってバー規制部材６４が不用意に回転することが防止されている。しかも、バー１４ｂを上方へ移動させることで、バー規制部材６４がバー１４ｂから受ける力で回転して、短時間で容易にバー１４ｂを固定金具５０から外すことができる。
【００３８】
また、バー１４ｂを固定金具５０に戻して保持させるときには、バー１４ｂを固定金具１０ｂの上方位置にまで運搬し、バー１４ｂをバー規制部材６４に内側から当接させて所定力以上（バー規制部材６４をバー保持の方向に回転させる最低力以上。本実施形態では、バー１４ｂの自重よりも低い場合が多い）で下方へ移動させる。この結果、バー規制部材６４が回転して、バー１４ｂは、バー収容空間主形成部６２の内側にまで移動し、第２板部６８によって上方への移動が規制された状態となる。従って、短時間で容易にバー１４ｂを固定金具５０に保持させることができる。
【００３９】
なお、上記所定力以上でバー１４ｂが上方へ移動したときに第２板部６８が回動軸７２まわりに回転する限り、磁石７４、７６に代えて他のものを配置してもよい。例えば、押し付けるだけで互いにしっかり噛み合い、着脱が簡単なファスナー状のテープ部材を第１板部６６とバー収容空間主形成部６２とに配置してもよいし、トグルばねを配置してもよい。
【００４０】
以上、実施形態を説明したが、この実施形態は、例として提示したものであり、発明の範囲はそれらに限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４１】
１０…固定金具、１２…被取付部、１４…バー、１４ａ…バー、１４ｂ…バー、１４ｃ…バー、１６…バー保持部、２４…バー規制部、２６…バー収容用案内部、５０…固定金具、５２…被取付部、５６…バー保持部、６４…バー規制部材、７２…回動軸、Ｄ…外径、ｄ…間隔、Ｍ…乗場開口部、Ｓ…養生シート、Ｐ…固定金具保持部材
【図１】
2015227561.tif 000003
【図２】
2015227561.tif 000004
【図３】
2015227561.tif 000005
【図４】
2015227561.tif 000006
【図５】
2015227561.tif 000007
【図６】
2015227561.tif 000008
【図７】
2015227561.tif 000009
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
エレベータの乗場開口部の乗場側に配置され、前記乗場開口部用の養生シートに挿通されるバーを保持して固定する固定金具であって、
前記乗場開口部に設けられた固定金具保持部材に取付けられて固定される被取付部と、
前記被取付部で支えられ、保持した前記バーが所定力以上で上昇すると前記バーが取り外されるように前記バーを保持するバー保持部と、
を備え、
前記バー保持部は、板バネの機能を有して撓み変形可能であるとともに前記固定金具保持部材との水平方向の間隔を上方にかけて徐々に狭くしているバー規制部を有し、
前記バー規制部の上端における前記間隔は、前記バーの外径よりも小さいことを特徴とする固定金具。
【請求項２】
前記バー規制部の上端に連続し、前記固定金具保持部材との水平方向の間隔を上方にかけて徐々に広くしているバー収容用案内部を有することを特徴とする請求項１に記載の固定金具。
【請求項３】
前記バー収容用案内部の上端が、前記バー保持部よりも前記乗場側に張り出した位置に到達していることを特徴とする請求項２に記載の固定金具。
【請求項４】
請求項１に記載の固定金具に前記バーが保持されていて前記乗場開口部に対して閉となっている前記養生シートの前記バーを、前記バー保持部に対して所定力以上で上昇させて前記固定金具から取り外すことで前記乗場開口部に対して前記養生シートを開にして、前記乗場開口部内側に停止している乗りかご上に移動する工程と、
前記乗りかご上で、前記バーを前記バー保持部に対して所定力以上で下降させて前記固定金具に保持させることで、前記乗場開口部に対して前記養生シートを閉にする工程と、
を備えることを特徴とする養生シート開閉方法。
【請求項５】
前記乗りかご上で、前記バーを前記バー保持部に対して所定力以上で上昇させて前記固定金具から取り外すことで前記乗場開口部に対して前記養生シートを開にして、前記乗りかご上から前記乗場側に戻る工程と、
前記乗場側で、前記バーを前記バー保持部に対して所定力以上で下降させて前記固定金具に保持させることで前記乗場開口部に対して前記養生シートを閉にする工程と、
を備えることを特徴とする請求項４に記載の養生シート開閉方法。